(57)【要約】【課題】複数の補強用棒状部材を回転させることなく複数の補強用棒状部材をロッド配置用治具の保持部にねじで比較的簡単かつ効率的に固定する。【解決手段】各保持部に形成されたねじ孔が中空柱の側部開口から各ねじ孔の方を向くように各ねじ孔の螺合方向が形成され、側部開口から挿入されるねじ締付工具の先端をねじ孔に螺合するねじの頭に係合させ、該ねじ締付工具でねじを締め付けることができる。【選択図】        図１
2010180616.tif 000002
【特許請求の範囲】
【請求項１】
中空柱の長手方向に沿って複数の補強用棒状部材を中空柱内に配置するためのロッド配置用治具であって、
前記複数の補強用棒状部材をそれぞれ挿通可能な環状体によって形成される複数の保持部と、
この複数の保持部を中空柱の周方向に等角度で均等に配設するように一体的に連結する連結部と、
前記複数の保持部のそれぞれの側部を貫通し、かつ孔の向きが同一の領域を指すように形成されるねじ孔と
を有することを特徴とするロッド配置用治具。
【請求項２】
前記ねじ孔は、当該ロッド配置用治具を中空柱内に配置したときに、各孔の向きがそれぞれ中空柱の周壁に形成された側部開口を指すことを特徴とする請求項１記載のロッド配置用治具。
【請求項３】
前記側部開口から差し込まれ操作されるねじ締付工具により、前記保持部ねじ孔に螺合されたねじが締め付けられ、当該保持部が保持する補強用棒状部材が固定されるとき、前記側部開口から差し込まれたねじ締付工具が直接前記ねじを操作し得るように、前記保持部のそれぞれの側部を貫通する各ねじ孔の位置が、各保持部におけるねじ孔の上下方向の位置で調整されることを特徴とする請求項２記載のロッド配置用治具。
【請求項４】
前記側部開口から差し込まれ操作されるねじ締付工具により、前記保持部ねじ孔にねじ孔に螺合されたねじが締め付けられ、当該保持部が保持する補強用棒状部材が固定されるとき、前記側部開口から差し込まれたねじ締付工具が直接前記ねじを操作し得るように、当該ねじ孔を有する保持部以外の前記各保持部または連結部の上下方向の位置が調整されることを特徴とする請求項２または３のいずれかに記載のロッド配置用治具。
【請求項５】
前記側部開口から差し込まれ操作されるねじ締付工具により、前記保持部ねじ孔にねじ孔に螺合されたねじが締め付けられ、当該保持部が保持する補強用棒状部材が固定されるとき、前記側部開口から差し込まれたねじ締付工具が直接前記ねじを操作し得るように、当該ねじ孔を有する保持部の前記連結部に対する上下方向の位置が調整されることを特徴とする請求項２乃至４のいずれかに記載のロッド配置用治具。
【請求項６】
前記ねじは、六角レンチでの締め付け、緩めが可能な六角穴付きのいもねじであることを特徴とする請求項２記載のロッド配置用治具。
【発明の詳細な説明】
【技術分野】
【０００１】
本発明は、例えばコンクリート製の電柱のような中空柱の長手方向に沿って中空柱の補強材として挿入される複数の補強用棒状部材を中空柱内にその円周方向で均等に配置するためのロッド配置用治具に関する。
【背景技術】
【０００２】
コンクリート製の電柱などの中空柱は、通常、下部の所定長部分が地中に埋設されて地上に立設される。このような中空柱は、筒状の中空柱であり、その内部は空洞、すなわち中空となっている。
【０００３】
このような中空柱においては、下部は地中に埋設されているため、強固であるが、この下部から上方に伸び出た地上部分と下部との境の地際が脆弱であるとともに、この地際部分に限らず全体的に中空であるため、地際より上方の部分も脆弱であることがある。
【０００４】
このように脆弱な中空柱を補強するために、中空柱内に例えばアラミドロッドやＰＣ鋼線などの補強用棒状部材を中空柱の長手方向に複数挿入することが行なわれている。この複数の補強用棒状部材は、中空柱の周方向に等角度で均等に配設されることが中空柱の補強のためには必要である。このように複数の補強用棒状部材を中空柱内において周方向に等角度で均等に配設するために、従来は図１２に示すようなロッド配置用治具１０を使用しようしている。
【０００５】
図１２に示す従来のロッド配置用治具１０は、中空柱をその長手方向で補強するための複数の補強用棒状部材を挿入して保持するためのリング状の保持部１を複数（同図では３個）有する。同図においては、この３個の保持部１の中には２点鎖線で示すように３本の補強用棒状部材３がそれぞれ挿通されるとともに、ロッド配置用治具１０は２点鎖線で示すように中空柱の一例であるコンクリート製の電柱９の内部に挿入されている。
【０００６】
ロッド配置用治具１０の３個の保持部１は、中空柱９の内周面に近寄って円周方向で等角度で均等に配設されるように連結部５で一体的に連結されている。この連結部５は、中心にガイド棒を挿通するためのガイド孔５ａを有し、このガイド孔５ａに対して各保持部１から連結アーム５ｂが伸びて一体化するとともに、各保持部１は太めの円弧状アーム５ｃでも更に互いに一体的に連結されている。
【０００７】
また、中空柱９の内周面に対向する各保持部１の部分には、各保持部１の外周部から内周部に貫通してねじ孔１ａが形成され、このねじ孔１ａにいもねじ７が外側から螺合し、いもねじ７の先端は保持部１を貫通し、補強用棒状部材３の外周部に当接し、これにより補強用棒状部材３を保持部１に固定するようになっている。なお、いもねじ７は、六角レンチで締め付けができるように頭部には六角レンチの先端の六角部が嵌合するような六角の凹部が形成される、いわゆる六角穴付きねじである。また、図１２において、電柱９の一部に形成されている符号９ａで示す孔は、次に説明する図１３から分かるように電柱9の側部開口である。
【０００８】
以上のように構成されるロッド配置用治具１０は、図１３に示すように、コンクリート製の電柱９に挿入された複数(同図では３本)の補強用棒状部材３を固定的に配置するように使用されている。電柱９は、下部の所定長部分が地中に埋設されて地上に立設され、また地上部分と下部との境の地際から１ｍ程上方の電柱側面には側部開口９aが形成されている。
【０００９】
３本の補強用棒状部材３は、電柱９の最上部の頂部開口９ｂから電柱９内に挿入されたり、または側部開口９ａから電柱９内に挿入されるが、このように電柱９内に挿入された各補強用棒状部材３は、図１３に示すように、電柱９の頂部開口９ａから紐１９などで吊り下げられ、各補強用棒状部材３の下端部は、側部開口９ａの真横に設定される。このように電柱９の内部に複数のすべての補強用棒状部材３が挿入された状態において、これらの補強用棒状部材３を図１２に示すロッド配置用治具１０の各保持部１に挿入して保持するには、次のように行う。
【００１０】
まず、上述したようにすべての補強用棒状部材３の下端部が側部開口９ａの真横に設定された状態でロッド配置用治具１０を側部開口９ａから電柱９の中に垂直に立てながら挿入し、それから電柱９の中で水平に戻す。
【００１１】
ロッド配置用治具１０は、このように水平に戻した状態で３本の補強用棒状部材３の下端部の真下に位置するように設定される。それから、この水平に設定された状態のロッド配置用治具１０の３個の保持部１に３本の補強用棒状部材３をそれぞれ挿通することになるが、この作業はロッド配置用治具１０を各補強用棒状部材３の下端部の下から上方に持ち上げるように移動させたり、または逆にロッド配置用治具１０を側部開口９ａの真横の位置に固定した状態で各補強用棒状部材３を下方に下ろすようにしながら行うことができる。なお、図１３では、ロッド配置用治具１０を補強用棒状部材３の下端部に取り付ける場合について説明しているが、ロッド配置用治具１０を補強用棒状部材３の中ほどに取り付ける場合などには、側部開口９ａの所にロッド配置用治具１０を固定した状態で各補強用棒状部材３をもっと下方に下ろすことが必要である。
【００１２】
いずれにしても、ロッド配置用治具１０の各保持部１に補強用棒状部材３をそれぞれ挿入しただけでは、ロッド配置用治具１０は落下してしまうため、両者を互いに固定することが必要であるが、この固定は、図１２で説明したいもねじ７とねじ孔１ａを利用して行う。すなわち、図１３に示した状態で電柱９の側部開口９ａに面している１つの保持部１のねじ孔１ａに対して、すなわち側部開口９ａから直接見えるロッド配置用治具１０の１つの保持部１のねじ孔１ａに対して、いもねじ７を側部開口９ａから挿入し、図示しない六角レンチをいもねじ７の頭部に嵌合させ、いもねじ７の先端が補強用棒状部材３に当接するまで六角レンチでいもねじ7を締め付けることでロッド配置用治具１０の保持部１を補強用棒状部材３に固定している。
【００１３】
上記作業では、側部開口９ａに面した１つの保持部１のみが補強用棒状部材３に固定されるので、ロッド配置用治具１０の３個あるうちの他の２個の保持部１に対しても同様の作業を行うために、他の保持部１が側部開口９ａの真横に位置するようにロッド配置用治具１０を３本の補強用棒状部材３とともに回転することが必要である。この回転は、３本の補強用棒状部材３を電柱９の頂部開口９ｂから吊り下げている紐１９を操りながら回転させるとともに、補強用棒状部材３の下端部およびロッド配置用治具１０を側部開口９ａから支持しながら回転させることにより行なわれる。
【００１４】
そして、このように回転させて、他の保持部１のねじ孔１ａが側部開口９ａの真前に面して直接見えるように設定する。このように設定した後は、上記と同様に保持部１のねじ孔１ａに対して、いもねじ７を側部開口９ａから挿入し、六角レンチをいもねじ７の頭部に嵌合させて締め付け、いもねじ７の先端を補強用棒状部材３に当接させて、保持部１に補強用棒状部材３を固定する。
【００１５】
上記作業をロッド配置用治具１０のすべての保持部１に補強用棒状部材３のすべてが固定されるまで繰り返し行う。
【先行技術文献】
【特許文献】
【００１６】
【特許文献１】特開２００７−７７６１３号公報
【発明の概要】
【発明が解決しようとする課題】
【００１７】
上述したように、従来のロッド配置用治具１０を使用して、複数の補強用棒状部材３を電柱９のような中空柱の長手方向に沿って補強材として挿入し固定する方法は、ロッド配置用治具１０の各保持部１に複数の補強用棒状部材３を挿入した後、個々に吊り下げた状態にし、保持部１のねじ孔１ａにいもねじ７を螺合し、六角レンチで締め付ける作業を保持部１のすべてに対して行う必要が生じる。そのため、複数の補強用棒状部材３をロッド配置用治具１０とともに電柱９の中で回転させ、各保持部１のねじ孔１ａが電柱９の側部開口９ａの真前に面して直接見える位置まで回転移動させるという作業を複数の保持部１と補強用棒状部材３のすべてに対して繰り返し順次行うことが必要であるため、作業が非常に煩雑になり、時間がかかるという問題がある。
【００１８】
特に、補強用棒状部材３の数が増えた場合には、上記回転作業は、非常に難しくなる。上述した図１２、１３の例は、補強用棒状部材３が３本の場合であって、比較的簡単な方であるが、補強用棒状部材３の数は、通常もっと多く、６本とか８本であり、場合によっては、１０本やもっと多い場合もある。このように補強用棒状部材３の数が増えた場合には、全体の重量が重くなることに加えて、電柱９の中で引っ掛かったり、もつれたりして、上記回転作業は非常に困難となり、時間がかかるという問題がある。
【００１９】
本発明は、上記に鑑みてなされたもので、その目的とするところは、複数の補強用棒状部材を回転させることなく複数の補強用棒状部材をロッド配置用治具の保持部にねじで比較的簡単かつ効率的に固定し得るロッド配置用治具を提供することにある。
【課題を解決するための手段】
【００２０】
上記課題を達成するため、請求項１記載のロッド配置用治具は、中空柱の長手方向に沿って複数の補強用棒状部材を中空柱内に配置するためのロッド配置用治具であって、前記複数の補強用棒状部材をそれぞれ挿通可能な環状体によって形成される複数の保持部と、この複数の保持部を中空柱の周方向に等角度で均等に配設するように一体的に連結する連結部と、前記複数の保持部のそれぞれの側部を貫通し、かつ孔の向きが同一の領域を指すように形成されるねじ孔とを有することを要旨とする。
【００２１】
また、本発明のロッド配置用治具は中空柱の長手方向に沿って複数の補強用棒状部材を中空柱内に配置するためのものであって、複数の補強用棒状部材が挿通される複数の保持部と、複数の保持部を中空柱の周方向に等角度で均等に配設するように一体的に連結する連結部からなり、複数の保持部の側部には、測部を貫通してねじ孔が形成される。このねじ孔に保持部の外周側から螺合するねじを側部開口から挿入されるねじ締付工具にて締め付けることにより、ねじの先端が保持部を貫通して補強用棒状部材の外周部に当接し、補強用棒状部材が保持部に固定される。
【００２２】
請求項１記載のロッド配置用治具では、各保持部に形成されたねじ孔が中空柱の側部開口の方を向くように各ねじ孔の螺合方向が形成され、側部開口から挿入されるねじ締付工具の先端をねじ孔に螺合するねじの頭に係合させ、該ねじ締付工具でねじを締め付けることができるため、各保持部のねじ孔の螺合方向が側部開口の方を向き、ロッド配置用治具も複数の補強用棒状部材も従来のように回転させる必要が無く、極めて簡単かつ効率的に短時間でロッド配置用治具を補強用棒状部材に固定することができる。
【００２３】
請求項２記載のロッド配置用治具は、前記ねじ孔は、当該ロッド配置用治具を中空柱内に配置したときに、各孔の向きがそれぞれ中空柱の周壁に形成された側部開口を指すことを要旨とする。具体的には、ねじ孔は、中空柱の周壁にその長手方向に細長く形成された側部開口の方を向くように各ねじ孔の螺合方向が形成される。
【００２４】
請求項２記載のロッド配置用治具では、側部開口から差し込まれたねじ締付工具が他の部材で邪魔されることなくねじ孔にいもねじを簡単に螺合させて締め付けることができる。
【００２５】
請求項３記載のロッド配置用治具は、前記側部開口から差し込まれ操作されるねじ締付工具により、前記保持部ねじ孔に螺合されたねじが締め付けられ、当該保持部が保持する補強用棒状部材が固定されるとき、前記側部開口から差し込まれたねじ締付工具が直接前記ねじを操作し得るように、前記保持部のそれぞれの側部を貫通する各ねじ孔の位置が、各保持部におけるねじ孔の上下方向の位置で調整されることを要旨とする。
【００２６】
請求項３記載のロッド配置用治具では、保持部のそれぞれの側部を貫通する各ねじ孔の位置が、各保持部におけるねじ孔の上下方向の位置で調整されることから側部開口から差し込まれたねじ締付工具が直接前記ねじを操作し得る。
【００２７】
請求項４記載のロッド配置用治具は、前記側部開口から差し込まれ操作されるねじ締付工具により、前記保持部ねじ孔にねじ孔に螺合されたねじが締め付けられ、当該保持部が保持する補強用棒状部材が固定されるとき、前記側部開口から差し込まれたねじ締付工具が直接前記ねじを操作し得るように、当該ねじ孔を有する保持部以外の前記各保持部または連結部の上下方向の位置が調整されることを要旨とする。
【００２８】
請求項４記載のロッド配置用治具では、ねじ孔を有する保持部以外の前記各保持部または連結部の上下方向の位置が調整されることから側部開口から差し込まれたねじ締付工具が直接前記ねじを操作し得る。
【００２９】
請求項５記載のロッド配置用治具は、前記側部開口から差し込まれ操作されるねじ締付工具により、前記保持部ねじ孔にねじ孔に螺合されたねじが締め付けられ、当該保持部が保持する補強用棒状部材が固定されるとき、前記側部開口から差し込まれたねじ締付工具が直接前記ねじを操作し得るように、当該ねじ孔を有する保持部の前記連結部に対する上下方向の位置が調整されることを要旨とする。
【００３０】
請求項５記載のロッド配置用治具では、ねじ孔を有する保持部の前記連結部に対する上下方向の位置が調整されることから側部開口から差し込まれたねじ締付工具が直接前記ねじを操作し得る。
【００３１】
請求項６記載のロッド配置用治具は、前記ねじは、六角レンチでの締め付け、緩めが可能な六角穴付きのいもねじであることを要旨とする。
【００３２】
請求項６記載のロッド配置用治具では、ねじが六角レンチでの締め付け、緩めが可能な六角穴付きのいもねじである。
【発明の効果】
【００３３】
本発明によれば、各保持部に形成されたねじ孔が中空柱の側部開口から各ねじ孔の方を向くように各ねじ孔の螺合方向が形成され、側部開口から挿入されるねじ締付工具の先端をねじ孔に螺合するねじの頭に係合させ、該ねじ締付工具でねじを締め付けることができるので、各保持部のねじ孔の螺合方向が側部開口の方を向き、ロッド配置用治具も複数の補強用棒状部材も従来のように回転させる必要が無く、極めて簡単かつ効率的に短時間でロッド配置用治具を補強用棒状部材に固定することができる。
【００３４】
また、本発明によれば、側部開口から各ねじ孔の螺合方向に向かう経路が他の部材で遮断されないように上下方向でずらしてねじ孔が形成されているので、側部開口から各ねじ孔に向かって挿入するねじ締付工具が他の部材で邪魔されることなくねじ孔に至り、該ねじ孔にいもねじを簡単に螺合させて締め付けることができる。
【図面の簡単な説明】
【００３５】
【図１】本発明の第１の実施例に係わるロッド配置用治具の構成を示す斜視図である。
【図２】本発明の第１の実施例に係わるロッド配置用治具の構成を示す平面図である。
【図３】図１、２に示すロッド配置用治具の側部開口の方から見た側面図である。
【図４】ロッド配置用治具の保持部のねじ孔に螺合するいもねじを締め付けるための六角レンチを示す図である。
【図５】本発明の第２の実施形態に係わるロッド配置用治具を示す斜視図である。
【図６】本発明の第２の実施形態に係わるロッド配置用治具を示す平面図である。
【図７】図５、６に示すロッド配置用治具の側部開口の方から見た図３と同様な側面図である。
【図８】本発明の第３の実施形態に係わるロッド配置用治具を示す斜視図である。
【図９】本発明の第３の実施形態に係わるロッド配置用治具を示す平面図である。
【図１０】図８、９に示すロッド配置用治具の側部開口の方から見た図３、７に対応する側面図である。
【図１１】図８、９に示すロッド配置用治具の側部開口から直交する方向の側部から見た側面図である。
【図１２】従来のロッド配置用治具を示す平面図である。
【図１３】図１２に示すロッド配置用治具を用いて複数の補強用棒状部材を電柱の中に配置する様子を示す図である。
【発明を実施するための形態】
【００３６】
以下、図面を用いて、本発明を実施するための最良の形態(以下、実施形態と称する)を説明する。
【００３７】
図１、２は、それぞれ本発明の第１の実施例に係わるロッド配置用治具の構成を示す斜視図および平面図である。両図に示すロッド配置用治具１００は、図１２に示した従来のロッド配置用治具１０と同様に図１３に示すような中空柱であるコンクリート製の電柱９の中に挿入される複数の補強用棒状部材３を電柱内において周方向に等角度で均等に配設するために使用されるものである。
【００３８】
図１、２に示す第１の本実施形態のロッド配置用治具１００は、複数の補強用棒状部材３が挿入され保持する複数（本実施形態では３個）の保持部１と、この複数の保持部１を電柱９の中で周方向に等角度で均等に配設するように一体的に連結するための図１２で説明した連結部５ｂ、円弧状アーム５ｃ、ガイド孔５ａからなる連結部５とを有するという全体的構造点においては図１２に示す従来のロッド配置用治具１０と同じであるが、各保持部１に形成されているねじ孔の位置および該ねじ孔に対するいもねじ７の螺合方向がねじ孔のすべてにおいて電柱９の側部開口９ａからねじ孔の方を向くように形成されている点が大きく異なっているものである。
【００３９】
具体的には、図１２に示す従来のロッド配置用治具１０では、ねじ孔は電柱９の内周面に面する保持部１の部分に外周部から内周部に向かって貫通して形成されていたが、図１、２に示す本実施形態のロッド配置用治具１００では、各保持部１に形成される各ねじ孔は、電柱９の内周面に面するように向くのでなく、図１、２において符号１ｂで示すように、電柱９の側部開口９ａの方を直接向いている各保持部１の側部にこの外周部から内周部に向かって形成されるとともに、各ねじ孔１ｂに螺合するいもねじ７の螺合方向は、図１、２において点線をまじえた矢印２００で示すように側部開口９ａから各ねじ孔１ｂの方を向くように、詳しくは側部開口９aのほぼ中心点Ｐから各ねじ孔１ｂの方を向くように形成されている。なお、中心点Ｐは、正確には上下方向の短線となる。
【００４０】
なお、図１では、電柱９の側部に長手方向に細長く形成されている側部開口９ａは、太い２点鎖線で示されているが、矢印２００で示す各ねじ孔１ｂへのいもねじ７の螺合方向は、この側部開口９ａの中心点Pから各ねじ孔１ｂに向かうように設定されている。
【００４１】
また図１では、側部開口９ａから差し込まれたねじ締付工具（六角レンチ２１）が直接ねじ（いもねじ７）を操作し得るように、一番奥の保持部１におけるねじ孔１ｂの上下方向の位置が上方に移動されることで調整されると共に、このねじ孔１ｂを有する一番奥の保持部１の上下方向の位置が連結部５に対して連結部５の上下方向の厚みが薄く（または一段下げて）構成されることで、その位置が調整される。
【００４２】
図３は、図１、２に示すロッド配置用治具１００を側部開口９ａの方から見た側面図である。図３から分かるように、３つのねじ孔１ｂのうち、両側の２つのねじ孔１ｂは、これらのねじ孔１ｂが形成されている各保持部１の厚さ方向の真中に形成されているのに対して、両者の間の側部開口９ａの真正面に位置する真中に形成されているねじ孔１ｂは、当該ねじ孔１ｂが形成されている保持部１の側部の真中よりも少し上方にずれて形成されている。
【００４３】
このように真中に形成されたねじ孔１ｂおよび該ねじ孔１ｂに螺合したいもねじ７は、真中よりも少し上方にずれているが、これは、３個の保持部１を一体的に連結している連結部５が真中に位置していて、この連結部５が邪魔となっているため、この連結部５を避けるように真中のねじ孔１ｂを少し上方に形成し、これにより図１からも分かるように連結部５により邪魔されることなく、真中のねじ孔１ｂを電柱９の側部開口９ａから直接見ることができ、ひいては後述するように側部開口９ａから真直ぐ挿入した六角レンチで真中のねじ孔１ｂに対していもねじ７を締め付けるように螺合させることができるのである。なお、いもねじ７は、図３から分かるように、図４で説明する六角レンチの六角の先端が嵌合し得るようにいもねじ７の頭部が六角形の凹部に形成される、いわゆる、六角穴付きねじである。
【００４４】
図４は、保持部１のねじ孔１ｂに螺合するいもねじ７を締め付けるための六角レンチ２１を示す図である。同図に示す六角レンチ２１は、いもねじ７に螺合する先端２１ａが細く形成され、この先端２１ａが長く伸びてＴ字状に形成された把持部２１ｂを有する。そして、六角レンチ２１の先端２１ａをいもねじ７の頭部の六角形の凹部に嵌合させ、把持部２１ｂを保持して右方向に回すことにより、いもねじ７をねじ孔１ｂに螺合させることができる。なお、六角レンチ２１の先端２１ａは、断面が図４（ｂ）に示すように六角形に形成され、いもねじ７の頭部の六角形の凹部に嵌合するようになっている。
【００４５】
以上のように構成されるロッド配置用治具１００を用いて複数の補強用棒状部材３を電柱９の中に配置するには、上述したように、複数の補強用棒状部材３を電柱９の頂部開口からひもなどで吊り下げながらすべての補強用棒状部材３の下端部が電柱９の側部開口９ａの真横に位置するように設定し、この状態でロッド配置用治具１００を側部開口９ａから電柱９の中に垂直に立てながら挿入し、それから電柱９の中で水平に戻すとともに、複数の補強用棒状部材３の下端部の真下に位置するように設定するが、この時ロッド配置用治具１００の各保持部１の各ねじ孔１ｂへのいもねじ７の螺合方向が図１、２に示すように側部開口９ａの方を向くように設定する。
【００４６】
それから、このように水平に設定された状態のロッド配置用治具１００の各保持部１に複数(本実施形態では３本)の補強用棒状部材３をそれぞれ挿通することになるが、この作業は上述したようにロッド配置用治具１００を各補強用棒状部材３の下端部の下から上方に持ち上げるように移動させたり、または逆にロッド配置用治具１０を側部開口９ａの真横の位置に固定した状態で各補強用棒状部材３を下方に下ろすようにしながら行うことができる。
【００４７】
上述したよに側部開口９ａの真横において図１、２に示すようにロッド配置用治具１００の各保持部１に各補強用棒状部材３が挿通されたら、この状態でロッド配置用治具１００を図示しない工具などで保持し、図４に示す六角レンチ２１の先端２１ａにいもねじ７を嵌合させて、六角レンチ２１を側部開口９ａから電柱９内に挿入し、六角レンチ２１の先端２１ａに嵌合したいもねじ７をロッド配置用治具１００の保持部１のねじ孔１ｂに押し当てながら回転させ、これによりいもねじ７を保持部１のねじ孔１ａに螺合させ締め付けて、いもねじ７の先端を補強用棒状部材３に強く当接させ、これにより保持部1を補強用棒状部材３に固定する。
【００４８】
以上の作業をロッド配置用治具１００の保持部１のすべてに対して行い、すべての保持部１を各補強用棒状部材３に固定する。なお、この各保持部１のねじ孔１ａにいもねじ７を螺合させる作業は、各保持部１のねじ孔１ａの螺合方向が側部開口９ａの方を向いているので、ロッド配置用治具１００も複数の補強用棒状部材３も従来のように回転させる必要が無く、極めて簡単かつ効率的に短時間でおこなうことができる。
【００４９】
図５および図６は、それぞれ本発明の第２の実施形態に係わるロッド配置用治具を示す斜視図および平面図である。両図に示す第２の実施形態のロッド配置用治具２００は、図１に示したロッド配置用治具１００が３個の保持部１を有していたのに対して保持部１を４個設けた点が異なるものであり、その他の基本的な構成は同じであり、同じ構成要素には同じ符号が付されている。
【００５０】
このように４個の保持部１を有するロッド配置用治具２００も、各保持部１に形成されたねじ孔１ａおよび該ねじ孔１ａに螺合するいもねじ７の形成状態は、第１の実施形態のロッド配置用治具１００と同様にねじ孔１ａに螺合するいもねじ７の螺合方向が電柱９の側部開口９ａに向かう方向、詳しくは側部開口９ａから各ねじ孔１ａの方を向く方向、更に詳しくは、図５および図６において電柱９の側部開口９ａのほぼ中心に位置する点Ｐから点線の矢印で示すように各ねじ孔１ａの方を向く方向にいもねじ７の螺合方向が形成されている。
【００５１】
図７は、図５、６に示すロッド配置用治具２００を側部開口９ａの方から見た図３と同様な側面図である。図７から分かるように、４つのいもねじ7に螺合するねじ孔１ｂのうち、図６で前方にあった２つのねじ孔１ｂは、これらのねじ孔１ｂが形成されている各保持部１の厚さ方向の真中に形成されているのに対して、図６で後方にあった２つのねじ孔１ｂは、当該ねじ孔１ｂが形成されている保持部１の側部の真中よりも少し上方にずれて形成され、連結部５を避けている。これにより図５からも分かるように連結部５により邪魔されることなく、図６で後方にあった２つのねじ孔１ｂを電柱９の側部開口９ａから直接見ることができ、ひいては側部開口９ａから真直ぐ挿入した六角レンチ２１でこれらのねじ孔１ｂに対していもねじ７を締め付けるように螺合させることができるのである。
【００５２】
以上のように構成されるロッド配置用治具２００を用いて複数の補強用棒状部材３を電柱９の中に配置し、ロッド配置用治具２００を複数の補強用棒状部材３に固定する方法は第１の実施形態とおなじである。
【００５３】
図８、９、１０は、それぞれ本発明の第３の実施形態に係わるロッド配置用治具を示す斜視図、平面図および側面図である。これらの図に示す第３の実施形態のロッド配置用治具３００は、第１および第２の実施形態のロッド配置用治具１００、２００がそれぞれ３個および４個の保持部１を有していたのに対して保持部１を６個設けた点が異なるものであり、その他の基本的な構成は同じであり、同じ構成要素には同じ符号が付されている。
【００５４】
この図８では、側部開口９ａから差し込まれたねじ締付工具（六角レンチ２１）が直接いもねじ７を操作し得るように、奥方の３つの保持部１におけるねじ孔１ｂの上下方向の位置が上方に移動されることで調整され、またこのねじ孔１ｂを有する奥方の３つの保持部１の上下方向の位置が連結部５に対して連結部５の上下方向の厚みが薄く（または一段下げて）構成されると共に、当該ねじ孔を有する保持部１以外の２つの保持部１の上下方向の厚みが薄く（または一段下げて）構成されることでその位置が調整される。
【００５５】
このように６個の保持部１を有するロッド配置用治具３００も、各保持部１に形成されたねじ孔１ａおよび該ねじ孔１ａに螺合するいもねじ７の形成状態は、第１および第２の実施形態のロッド配置用治具１００、２００と同様にねじ孔１ａに螺合するいもねじ７の螺合方向が電柱９の側部開口９ａに向かう方向、詳しくは電柱９の側部開口９ａのほぼ中心点Ｐから点線の矢印で示すように各ねじ孔１ａの方を向く方向にいもねじ７の螺合方向が形成されている。
【００５６】
図１０および１１は、それぞれ図８、９に示すロッド配置用治具３００の側部開口９ａの方から見た側面図および側部開口から直交する方向の側部から見た側面図である。図９から分かるように、６つのねじ孔１ｂのうち、図９で最も前方にあった２つのいもねじ7に螺合するねじ孔１ｂは、保持部１の厚さ方向の真中に形成されているのに対して、図９で後方にあった残りの４つのいもねじ7に螺合するねじ孔１ｂは、保持部１の側部の真中よりも少し上方にずれて形成され、連結部５および前方に位置する保持部１を避けている。これにより図８からも分かるように連結部５および保持部１により邪魔されることなく、図９で後方にあった４つのねじ孔１ｂを電柱９の側部開口９ａから直接見ることができ、ひいては側部開口９ａから真直ぐ挿入した六角レンチ２１でこれらのねじ孔１ｂに対していもねじ７を締め付けるように螺合させることができるのである。
【００５７】
なお、図８−１１に示すロッド配置用治具３００は、６個の保持部１を一体的に連結している連結部５が図８、９から分かるように第１および第２の実施形態のロッド配置用治具の連結部５に対して更に大きな太めの円弧状アーム５ｄを有し、この円弧状アーム５を用いて６個の保持部１を更に強固に連結している。
【００５８】
以上のように構成されるロッド配置用治具３００を用いて複数の補強用棒状部材３を電柱９の中に配置し、ロッド配置用治具２００を複数の補強用棒状部材３に固定する方法は第１および第２の実施形態と同じである。
【符号の説明】
【００５９】
１  保持部
１ｂ  ねじ孔
３  補強用棒状部材
５  連結部
９  電柱
９ａ  側部開口
７  いもねじ
１００、２００、３００  ロッド配置用治具
【図１】
2010180616.tif 000003
【図２】
2010180616.tif 000004
【図３】
2010180616.tif 000005
【図４】
2010180616.tif 000006
【図５】
2010180616.tif 000007
【図６】
2010180616.tif 000008
【図７】
2010180616.tif 000009
【図８】
2010180616.tif 000010
【図９】
2010180616.tif 000011
【図１０】
2010180616.tif 000012
【図１１】
2010180616.tif 000013
【図１２】
2010180616.tif 000014
【図１３】
2010180616.tif 000015